(57)【要約】【課題】流路開閉装置の固着化現象の抑制のために電磁弁の開駆動時における印加電圧を大きくすることによる閉不良の発生を抑制することを目的とする。【解決手段】通電回路２４５における便器給水弁２４２の閉駆動時の電流の流路上に電圧レギュレータ２５０が介装されており、第二マイコン２４９が通電回路２４５におけるトランジスタ２４５ｂとトランジスタ２４５ｄをＯＮとして便器給水弁２４２を閉駆動させるときに電圧レギュレータ２５０を介して入力電圧が入力される。電圧レギュレータ２５０は、電解コンデンサ２４６から印加される電圧が３．１Ｖ以上の場合において、便器給水弁２４２の閉駆動時のソレノイドコイル５４への印加電圧が、便器給水弁２４２の開駆動時のソレノイドコイル５４への印加電圧よりも小さくなるように調整する。【選択図】図３
2017057955.tif 000002
【特許請求の範囲】
【請求項１】
ラッチング式ソレノイドコイルへの通電により流路を開閉するように駆動される電磁弁と、電源からの電力供給によって前記ラッチング式ソレノイドコイルへの印加電圧を制御することで前記電磁弁の開閉駆動を制御する制御回路と、を備える流路開閉装置において、
前記制御回路は、
前記電磁弁の閉駆動時の前記印加電圧の大きさを、前記電磁弁の開駆動時の前記印加電圧の大きさよりも小さくする、流路開閉装置。
【請求項２】
前記制御回路は、前記ラッチング式ソレノイドコイルを駆動するＨ型ブリッジ回路を有し、
前記Ｈ型ブリッジ回路には、前記電磁弁の閉駆動時に流れる電流の経路上に電圧レギュレータが介装されており、前記電圧レギュレータは、前記電磁弁の閉駆動時の前記印加電圧を、前記電磁弁の開駆動時の前記印加電圧よりも低下させる、請求項１記載の流路開閉装置。
【請求項３】
前記電源からの電力供給により充電されるキャパシタを備え、
前記制御回路は、前記電源からの電力供給が停止した場合、前記キャパシタからの電力供給により前記電磁弁の開閉駆動を制御する、請求項１又は２記載の流路開閉装置。
【発明の詳細な説明】
【技術分野】
【０００１】
本発明は、流路開閉装置に関し、特に水が流通する流路内に設けた電磁弁により流路を開閉する流路開閉装置に関する。
【背景技術】
【０００２】
従来における、水が流通する流路の開閉駆動を行う流路開閉装置の一例として、ラッチング式ソレノイドバルブを流路内に設け、ソレノイドコイルへの通電によりプランジャーガイドの中をプランジャーが移動して流路の開閉の切り替えを行うものがある。ラッチング式ソレノイドバルブは、流路の開状態または閉状態を維持しているときには、電力を用いずに永久磁石の磁力またはバネの弾性力を利用してプランジャーを保持し、開状態と閉状態との切り替えを行う際には、電磁石を用いてプランジャーを移動させる。
【０００３】
このような流路開閉装置に特有の問題として、水道管内を流通する水道水に溶解するカルシウム成分などがプランジャーとプランジャーガイドの間などに残留し、そのまま乾燥して固着物になることによって電磁弁が開閉するまでの反応時間が延長してしまったり開閉不能に陥ってしまったりするといった、いわゆる固着化現象が発生することが知られている。
【０００４】
この固着化現象に対応するべく、電磁弁の開閉駆動を行わない未駆動期間が所定期間を上回った場合に、電磁弁の開駆動時における印加電圧を通常時よりも大きくして固着物に対して力学的に大きなストレスを加えて、固着物を駆動部にて破砕し易くする方法が開示されている（特許文献１）。この技術によれば、電磁弁の固着化現象を解消することが可能であり、また、電磁弁の固着化現象を未然に防止することも可能である。
【先行技術文献】
【特許文献】
【０００５】
【特許文献１】特開２００５−４８８６５号公報
【発明の概要】
【発明が解決しようとする課題】
【０００６】
しかし、電磁弁に固着化現象が発生するタイミングは使用環境によって大きく異なり、特許文献１のように未駆動期間が所定期間を上回ったタイミングで電磁弁の開駆動時における印加電圧を大きくするだけだと十分な固着化現象への対策とはならない。そこで、通常時の電磁弁の開駆動時における印加電圧をある程度大きくしておく対策が考えられる。しかしながら、通常時の電磁弁の開駆動時における印加電圧を大きくすると、閉駆動時において電磁弁がしっかりと閉状態にならない、いわゆる閉不良が発生することが分かった。
【０００７】
本発明は、電磁弁の固着化現象に起因して発生する電磁弁の閉駆動時における閉不良の発生を抑制することが可能な流路開閉装置を実現することを目的とする。
【課題を解決するための手段】
【０００８】
本発明の一態様に係る流路開閉装置は、ラッチング式ソレノイドコイルへの通電により流路を開閉するように駆動される電磁弁と、電源からの電力供給によってラッチング式ソレノイドコイルへの印加電圧を制御することで電磁弁の開閉駆動を制御する制御回路と、を備える流路開閉装置において、制御回路は、電磁弁の閉駆動時の印加電圧の大きさを、電磁弁の開駆動時の印加電圧の大きさよりも小さくする。
【０００９】
このように構成された流路開閉装置によれば、固着化現象への対策として電磁弁への印加電圧を大きくしたとしても、制御回路により、電磁弁の閉駆動時の印加電圧の大きさを電磁弁の開駆動時の印加電圧の大きさよりも小さくすることができるため、電磁弁の閉不良の発生を抑制することができる。
【００１０】
また、本発明の一態様に係る流路開閉装置は、制御回路は、ラッチング式ソレノイドコイルを駆動するＨ型ブリッジ回路を有し、Ｈ型ブリッジ回路には、電磁弁の閉駆動時に流れる電流の経路上に電圧レギュレータが介装されており、電圧レギュレータは、電磁弁の閉駆動時の印加電圧を、電磁弁の開駆動時の印加電圧よりも低下させてもよい。
【００１１】
このように構成された流路開閉装置によれば、電磁弁の閉駆動時に流れる電流の経路上に電圧レギュレータが介装されたＨブリッジ回路を制御部に設けることで、電磁弁の閉駆動時の印加電圧の大きさを電磁弁の開駆動時の印加電圧の大きさよりも小さくすることができ、電磁弁の閉不良の発生を抑制することができる。
【００１２】
また、本発明の一態様に係る流路開閉装置は、電源からの電力供給により充電されるキャパシタを備え、制御回路は、電源からの電力供給が停止した場合、キャパシタからの電力供給により電磁弁の開閉駆動を制御する。
【００１３】
このように構成された流路開閉装置によれば、制御回路は、電源からの電力供給で充電されるキャパシタによって停電時に電力供給を受けるため、停電時においても電磁弁の開閉駆動の制御を行うことができる。
【発明の効果】
【００１４】
本発明によれば、流路開閉装置の固着化現象の抑制のために電磁弁の開駆動時における印加電圧を大きくすることによる閉不良の発生を抑制することができる。
【図面の簡単な説明】
【００１５】
【図１】本発明の実施形態によるトイレ装置を概略的に示す構成図である。
【図２】本発明の実施形態による便器給水弁の全体構成図である。
【図３】本発明の実施形態によるトイレ装置の流路開閉装置を示すブロック図である。
【図４】本発明の実施形態による外部電源からの電力供給時における便器給水弁駆動時のタイムチャートである。
【図５】本発明の実施形態による停電時における便器給水弁駆動時のタイムチャートである。
【発明を実施するための形態】
【００１６】
＜トイレ装置の構成＞
まず、図１を参照して、本発明の実施形態によるトイレ装置について説明する。図１は、本発明の実施形態によるトイレ装置を概略的に示す構成図である。
【００１７】
図１に示すように、本発明の実施形態によるトイレ装置１００は、便器本体２００と、便器本体２００の上面に設置される衛生洗浄装置４００と、を備える。便器本体２００には、便器本体２００を洗浄するために洗浄水を吐水する吐水口３００が形成されている。衛生洗浄装置４００は、人体局部を洗浄する吐水ノズル４２０を有する。
【００１８】
さらに、トイレ装置１００は、外部電源６００から電力供給されるノズル制御装置４４０と、このノズル制御装置４４０を介して外部電源６００から電力供給される流路開閉装置２４０と、停電等により外部電源６００からの電力供給が停止した場合に操作することで、吐水口から洗浄水を吐水させて便器本体２００を洗浄することが可能な停電時操作部７５０と、を備える。
【００１９】
ノズル制御装置４４０は、吐水ノズル４２０への洗浄水の供給を開始又は停止させるノズル給水弁４４２と、このノズル給水弁４４２の動作を制御する第一マイコン４４４と、を有する。
【００２０】
ノズル給水弁４４２は、電磁弁であり、外部電源６００からの電力供給に基づいて駆動し、給水源８０と吐水ノズル４２０とを連通させるノズル側流路４６０を開閉することで、吐水ノズル４２０への洗浄水の供給を開始又は停止させる。第一マイコン４４４は、外部電源６００からの電力供給により駆動し、使用者による操作部（図示せず）への操作に基づいて、ノズル給水弁４４２の動作を制御する。
【００２１】
流路開閉装置２４０は、便器本体２００への洗浄水の供給を開始又は停止させる電磁弁としての便器給水弁２４２と、この便器給水弁２４２の動作を制御する制御回路２４４と、この制御回路２４４に接続された内部電源８００と、を有する。
【００２２】
便器給水弁２４２は、給水源８０と吐水口３００とを連通させる便器側流路２６０を開閉することで、便器本体２００への洗浄水の供給を開始又は停止させる。制御回路２４４は、ノズル制御装置４４０を介した外部電源６００からの電力供給、又は、内部電源８００からの電力供給により駆動し、使用者による操作部又は停電時操作部７５０への操作に基づいて、便器給水弁２４２の動作を制御する。内部電源８００は、外部電源６００からノズル制御装置４４０への電力供給が停止した場合に、ノズル制御装置４４０には電力供給せず制御回路２４４には電力供給が可能なように構成される。
【００２３】
＜便器給水弁の構成＞
ここで、図２を参照して、本発明の実施形態による便器給水弁について説明する。図２は、本発明の実施形態による便器給水弁の全体構成図である。
【００２４】
図２に示すように、便器給水弁２４２は、ラッチング式ソレノイドコイルへの通電により流路を開閉するように駆動されるいわゆるラッチング式ソレノイドバルブであり、ダイヤフラム弁２０と、プランジャー４０と、永久磁石５０と、バネ５２と、ソレノイドコイル５４と、クリーニングピン４５と、圧力室４８と、を備えている。
【００２５】
ダイヤフラム弁２０は、便器側流路２６０において一次側流路２６１と二次側流路２６２との間を開閉するように構成されている。プランジャー４０は、ダイヤフラム弁２０に設けられたパイロット穴４７を開閉するように構成されている。
【００２６】
永久磁石５０は、ダイヤフラム弁２０を開状態にするためにプランジャー４０を引き付ける。バネ５２は、ダイヤフラム弁２０を閉状態にするためにプランジャー４０をダイヤフラム弁２０へ向かって押し付け。永久磁石５０がプランジャー４０を引き付ける力と、バネ５２がプランジャー４０を押す力とは、互いに斥力である。プランジャー４０が永久磁石５０に接近すると、永久磁石５０による力がバネ５２による力を上回り、ダイヤフラム弁２０を開状態にする。一方、プランジャー４０が永久磁石５０から離れると、永久磁石５０による力がバネ５２による力を下回り、ダイヤフラム弁２０を閉状態にする。
【００２７】
ソレノイドコイル５４は、通電により磁力を発生し、便器給水弁２４２の開状態と閉状態を切り替えるためにプランジャー４０を移動させる。
【００２８】
図２に示すように、バルブ２３の閉状態では、プランジャー４０がパイロット穴４７を塞いでいる。それとともに、プランジャー４０は、ブリード穴４６を介して一次側流路２６１と圧力室４８との間を連通させるようにクリーニングピン４５を位置づける。よって圧力室４８内の圧力が、ブリード穴４６を介して一次側流路２６１の圧力とほぼ等しくなっている。水の供給側である一次側流路２６１の圧力は、二次側流路２６２の圧力よりも高いので、ダイヤフラム弁２０は、一次側流路２６１と二次側流路２６２との圧力差によって二次側流路２６２の開口部に押し付けられる。これにより、ダイヤフラム弁２０は、一次側流路２６１と二次側流路２６２との間を遮断する。
【００２９】
便器給水弁２４２の閉状態では、ソレノイドコイル５４に通電することなく、プランジャー４０は、バネ５２の弾性力によってパイロット穴４７を塞いだ状態で固定される。よって、ダイヤフラム弁２０は、一次側流路２６１と二次側流路２６２との圧力差により閉状態を維持する。
【００３０】
便器給水弁２４２を閉状態から開状態に切り替えるときには、ソレノイドコイル５４に通電することによって、プランジャー４０を永久磁石５０へ向かって移動させる。プランジャー４０が永久磁石５０へ接近すると、永久磁石５０がバネ５２よりも強い力でプランジャー４０を引き付ける。これにより、プランジャー４０がパイロット穴４７を開放する。パイロット穴４７が開放されると、圧力室４８から二次側流路２６２へ流体が流れ、圧力室４８内の圧力が低下する。圧力室４８内の圧力が低下すると、一次側流路２６１の圧力によって、ダイヤフラム弁２０は、二次側流路２６２の開口部を開放し、一次側流路２６１と二次側流路２６２との間を連通させる。このように、便器給水弁２４２は開状態になる。
【００３１】
便器給水弁２４２の開状態では、プランジャー４０は永久磁石５０の磁力によってバネ５２の弾性力よりも強い力で永久磁石５０に引き付けられている。よって、ソレノイドコイル５４に通電することなく、プランジャー４０は、永久磁石５０に接触した状態で固定されている。
【００３２】
便器給水弁２４２を開状態から閉状態に切り替えるときには、閉状態から開状態への切替え時とは逆方向にソレノイドコイル５４に通電する。これによって、プランジャー４０をダイヤフラム弁２０へ向かって移動させる。プランジャー４０がパイロット穴４７を塞ぐと、上述の通り、一次側流路２６１と二次側流路２６２との圧力差によりダイヤフラム弁２０を閉状態にする。
【００３３】
＜流路開閉装置の構成＞
次に、図３を参照して、本発明の実施形態による流路開閉装置について説明する。図３は、本発明の実施形態によるトイレ装置の流路開閉装置を示すブロック図である。
【００３４】
図３に示すように、流路開閉装置２４０は、便器給水弁２４２と、制御回路２４４と、内部電源８００と、を有する。
【００３５】
制御回路２４４は、外部電源６００からの電力供給によってソレノイドコイル５４への印加電圧を制御することで便器給水弁２４２の開閉駆動を制御する。制御回路２４４は、通電回路２４５と、電解コンデンサ２４６と、電圧検出ＩＣ２４８と、第二マイコン２４９と、を有する。
【００３６】
電解コンデンサ２４６は、ノズル制御装置４４０を介した外部電源６００からの電力供給、又は、内部電源８００からの電力供給により充電され、この充電された電力により、便器給水弁２４２を動作させる。電圧検出ＩＣ２４８は、電解コンデンサ２４６の電圧を検出し、この検出された電圧に基づいて、第二マイコン２４９は、電解コンデンサ２４６へ内部電源８００による電力供給を行わせることが可能である。
【００３７】
通電回路２４５は、便器給水弁２４２の開閉状態の切り替えに応じて、ソレノイドコイル５４に流す電流の向きを切り替えるＨブリッジ回路であり、トランジスタ２４５ａ，２４５ｂ，２４５ｃ，２４５ｄと、電圧レギュレータ２５０と、を有する。通電回路２４５は、ソレノイドコイル５４と電解コンデンサ２４６との間に設けられ、電解コンデンサ２４６からソレノイドコイル５４への通電を開始あるいは停止するように構成されている。
【００３８】
便器給水弁２４２を開状態にするには、通電回路２４５におけるトランジスタ２４５ａとトランジスタ２４５ｃをＯＮさせて、ソレノイドコイル５４へＡ１の向きの電流により通電を行う。便器給水弁２４２を閉状態にするには、通電回路２４５におけるトランジスタ２４５ｂとトランジスタ２４５ｄをＯＮさせて、ソレノイドコイル５４へＡ２の向きの電流により通電を行う。
【００３９】
電圧レギュレータ２５０は、低損失レギュレータ（Ｌｏｗ  Ｄｒｏｐ−Ｏｕｔ  ｒｅｇｕｌａｔｏｒ）であり、第二マイコン２４９によりその駆動を制御され便器給水弁２４２へ出力する電圧を調整する。電圧レギュレータ２５０は、入力電圧が３．１Ｖ以上の場合、出力電圧として３．１Ｖを出力し、入力電圧が３．１Ｖよりも小さい場合、電圧レギュレータ２５０は入力電圧と同等の電圧値を出力する。また、電圧レギュレータ２５０は、通電回路２４５における便器給水弁２４２の閉駆動時に流れる電流の経路上に介装されており、電圧レギュレータ２５０に入力電圧が入力されるのは、第二マイコン２４９が通電回路２４５におけるトランジスタ２４５ｂとトランジスタ２４５ｄをＯＮとした、便器給水弁２４２を閉駆動させるときである。すなわち、外部電源６００又は内部電源８００から内部レギュレータ８６０及び平滑回路としての電解コンデンサ２４６を介して印加される電圧が３．１Ｖ以上の場合において、電圧レギュレータ２５０は、便器給水弁２４２の閉駆動時のソレノイドコイル５４への印加電圧が、便器給水弁２４２の開駆動時のソレノイドコイル５４への印加電圧よりも小さくなるように調整する。
【００４０】
このように、制御回路２４４は、便器給水弁２４２の閉駆動時のソレノイドコイル５４への印加電圧の大きさを、便器給水弁２４２の開駆動時の同印加電圧の大きさよりも小さくする。そして、本実施形態では、制御回路２４４は、ソレノイドコイル５４に流す電流の向きを切り替える通電回路２４５を有し、通電回路２４５に設けられた電圧レギュレータ２５０が、便器給水弁２４２の閉駆動時のソレノイドコイル５４への印加電圧を、便器給水弁２４２の開駆動時の同印加電圧よりも低下させる。なお、本実施形態における電圧レギュレータ２５０は、低損失レギュレータに限定されず、例えば、シャントレギュレータなどの、低損失レギュレータ以外の電圧レギュレータを用いてもよい。
【００４１】
便器給水弁２４２の閉駆動完了時のソレノイドコイル５４の逆起電圧防止対策として、電圧レギュレータ２５０に対してダイオードが電気的に並列接続されている。このダイオードは、順方向が、便器給水弁２４２の閉駆動時にソレノイドコイル５４へ印加される印加電圧に対して逆向きとなるように接続されている。
【００４２】
内部電源８００は、ノズル制御装置４４０を介した外部電源６００からの電力供給により充電される電気二重層コンデンサ８２０と、この電気二重層コンデンサ８２０と並列に接続される乾電池８４０と、を有する。そして、制御回路２４４は、外部電源６００からの電力供給が停止した場合、内部電源８００の電気二重層コンデンサ８２０からの電力供給及び乾電池８４０からの電力供給により、便器給水弁２４２の開閉駆動を制御する。なお、本実施形態における内部電源８００はこのような構成に限定されるものでなく、例えば、電気二重層コンデンサ以外のコンデンサを用いてもよく、また、乾電池８４０を用いなくともよい。内部電源８００の構成は、内部電源８００に要求される電圧の大きさやトイレ装置１００の他の構成等から適宜決定され得る。
【００４３】
電気二重層コンデンサ８２０及び乾電池８４０は、内部レギュレータ８６０を介して制御回路２４４及び電解コンデンサ２４６に電力を供給可能である。なお、本実施形態においては、内部電源８００は乾電池８４０を有するが、本発明はこのような構成に限定されるものではなく、乾電池８４０を有さない構成としてもよい。
【００４４】
内部レギュレータ８６０は、内部電源８００からの電力供給により駆動し、第二マイコン２４９によりその駆動を制御され制御回路２４４及び電解コンデンサ２４６へ出力する電力を調整する。
【００４５】
＜便器給水弁駆動時のタイムチャート＞
次に、図４，５を参照して、本発明の実施形態による便器給水弁の動作について説明する。図４は、本発明の実施形態による外部電源からの電力供給時における便器給水弁駆動時のタイムチャートである。図５は、本発明の実施形態による停電時における便器給水弁駆動時のタイムチャートである。
【００４６】
図４に示すように、時刻ｔ１において、使用者による操作部（図示せず）への操作が行われることで、第二マイコン２４９がトランジスタ２４５ａとトランジスタ２４５ｃをＯＮさせ、電解コンデンサ２４６に充電された電力を通電回路２４５へ供給することによりソレノイドコイル５４への通電を開始する。このとき、ソレノイドコイル５４に印加される印加電圧は４．７Ｖである。
【００４７】
時刻ｔ１から時刻ｔ２までの間（例えば、８０ｍｓｅｃ）、第二マイコン２４９はトランジスタ２４５ａとトランジスタ２４５ｃをＯＮさせたままソレノイドコイル５４への通電を継続し、便器給水弁２４２の開駆動を行う。この時刻ｔ１から時刻ｔ２までの間に、便器給水弁２４２の開駆動が開始し、完了して開状態となる。便器給水弁２４２が開状態となると、一次側流路２６１と二次側流路２６２とが連通し、便器本体２００への洗浄水の供給が開始される。
【００４８】
時刻ｔ２において、第二マイコン２４９はトランジスタ２４５ａとトランジスタ２４５ｃをＯＦＦに切り替え、ソレノイドコイル５４への通電を停止する。これにより、便器給水弁２４２が開状態を維持して、吐水口３００からの便器本体２００への洗浄水の供給が行われる。
【００４９】
時刻ｔ３において、第二マイコン２４９はトランジスタ２４５ｂとトランジスタ２４５ｄをＯＮさせて、電解コンデンサ２４６に充電された電力を通電回路２４５へ供給することによりソレノイドコイル５４への通電を開始する。このとき、通電回路２４５に印加される印加電圧は４．７Ｖであるが、上記したように、第二マイコン２４９が通電回路２４５におけるトランジスタ２４５ｂとトランジスタ２４５ｄをＯＮさせて便器給水弁２４２を閉駆動させるときには、電圧レギュレータ２５０によってソレノイドコイル５４への印加電圧が調整されて、ソレノイドコイル５４に印加される印加電圧は３．１Ｖとなる。
【００５０】
時刻ｔ３から時刻ｔ４までの間（例えば、８０ｍｓｅｃ）、第二マイコン２４９はトランジスタ２４５ｂとトランジスタ２４５ｄをＯＮさせたままソレノイドコイル５４への通電を継続し、便器給水弁２４２の閉駆動を行う。この時刻ｔ３から時刻ｔ４までの間に、便器給水弁２４２の閉駆動が開始し、完了して閉状態となる。便器給水弁２４２が閉状態となると、ダイヤフラム弁２０によって一次側流路２６１と二次側流路２６２との間が遮断され、吐水口３００からの便器本体２００への洗浄水の供給が停止される。
【００５１】
また、停電によって外部電源６００からの電力供給が停止した場合、内部電源８００から制御回路２４４へ電力供給が可能である。
【００５２】
図５に示すように、時刻ｔ５において、停電により外部電源６００からの電力供給が停止すると、第二マイコン２４９は内部レギュレータ８６０を駆動することで、内部電源８００から電解コンデンサ２４６へ電力を供給させて、電解コンデンサ２４６の充電を開始する。なお、このときに電解コンデンサ２４６の充電が完了した場合は、内部電源８００から電解コンデンサ２４６への電力供給を停止するものとする。
【００５３】
時刻ｔ６において、使用者による停電時操作部７５０への操作が行われると、第二マイコン２４９がトランジスタ２４５ａとトランジスタ２４５ｃをＯＮさせ、電解コンデンサ２４６へ充電された電力を通電回路２４５へ供給することによりソレノイドコイル５４への通電を開始させ、便器給水弁２４２の開駆動を開始する。そして、その後の時刻ｔ７から時刻ｔ９における通電回路２４５のソレノイドコイル５４への通電の制御方法については、時刻ｔ２から時刻ｔ４と同様である。つまり、停電時において制御回路２４４は、外部電源６００の代わりに内部電源８００から電力供給を受けることで、ソレノイドコイル５４への通電を制御する。
【００５４】
このようにして、内部電源８００が消費されるまで停電時において便器本体２００の洗浄を行うことが可能となる。
【００５５】
＜作用・効果＞
次に、本発明の実施形態による流路開閉装置の作用効果を説明する。
【００５６】
本発明の実施形態においては、便器給水弁２４２の閉駆動時のソレノイドコイル５４への印加電圧が、便器給水弁２４２の開駆動時のソレノイドコイル５４への印加電圧よりも小さくなるように調整する。これにより、固着化現象への対策として便器給水弁２４２の開駆動時の印加電圧の大きさを大きくしたとしても、便器給水弁２４２の閉不良の発生を抑制することができる。本発明の発明者らが繰り返し慎重に行った研究によれば、その機序は定かではないが、閉駆動時におけるソレノイドコイルへの印加電圧を開駆動時よりも小さくすることで、通常時の電磁弁の開駆動時における印加電圧を大きくすることによって発生する閉不良を抑制できることを見出したものである。
【００５７】
また、本発明の実施形態においては、通電回路２４５における便器給水弁２４２の閉駆動時の電流の経路上に電圧レギュレータ２５０を介装することで、便器給水弁２４２の閉駆動時においてソレノイドコイル５４に印加される印加電圧の大きさを、便器給水弁２４２の開駆動時においてソレノイドコイル５４に印加される印加電圧の大きさよりも小さくする。このような構成により、固着化現象への対策として便器給水弁２４２の開駆動時の印加電圧の大きさを大きくしたとしても、便器給水弁２４２の閉不良の発生を抑制することができる。
【００５８】
また、本発明の実施形態においては、停電によって外部電源６００からの電力供給が停止した場合、ノズル制御装置４４０を介した外部電源６００からの電力供給により充電される電気二重層コンデンサ８２０と、この電気二重層コンデンサ８２０と並列に接続される乾電池８４０と、を有する内部電源８００から制御回路２４４へ電力供給が可能である。これにより、停電時においても停電時操作部７５０を操作することで、便器給水弁２４２の開閉駆動の制御が可能である。
【００５９】
以上、本発明の一実施形態について説明したが、本発明は、上記実施形態に限定されるものではない。
【００６０】
上記実施形態においては、便器給水弁２４２の開駆動時におけるソレノイドコイル５４への通電を、時刻ｔ１から時刻ｔ２までの間（例えば、８０ｍｓｅｃ）継続させることとしたが、本発明はこれに限らず、便器給水弁２４２が開状態になったときにソレノイドコイル５４にボトム電流が発生することを利用して、例えば、制御回路２４４にソレノイドコイル５４の電流を検出する電流検出手段を設け、この電流検出手段によってボトム電流を検知した時点で便器給水弁２４２の開状態が完了したと判断し、便器給水弁２４２の開駆動時におけるソレノイドコイル５４への通電を停止することとしてもよい。
【００６１】
また、第二マイコン２４９は、停電時において内部電源８００から電解コンデンサ２４６への充電が必要でないときに、必要最小限の機能以外を停止させ内部レギュレータ８６０における消費電力を抑えるスタンバイモードを備えてもよい。
【００６２】
前述した各実施の形態が備える各要素は、技術的に可能な限りにおいて組み合わせることができ、これらを組み合わせたものも本発明の特徴を含む限り本発明の範囲に包含される。
【符号の説明】
【００６３】
２０      ダイヤフラム弁
４０      プランジャー
４５      クリーニングピン
４６      ブリード穴
４７      パイロット穴
４８      圧力室
５０      永久磁石
５２      バネ
５４      ソレノイドコイル（ラッチング式ソレノイドコイル）
８０      給水源
１００    トイレ装置
２００    便器本体
２４０    流路開閉装置
２４２    便器給水弁（電磁弁）
２４４    制御回路
２４５    通電回路（Ｈ型ブリッジ回路）
２４５ａ  トランジスタ
２４５ｂ  トランジスタ
２４５ｃ  トランジスタ
２４５ｄ  トランジスタ
２４６    電解コンデンサ
２４８    電圧検出ＩＣ
２４９    第二マイコン
２５０    電圧レギュレータ
２６０    便器側流路
２６１    一次側流路
２６２    二次側流路
３００    吐水口
４００    衛生洗浄装置
４２０    吐水ノズル
４４０    ノズル制御装置
４４２    ノズル給水弁
４４４    第一マイコン
４６０    ノズル側流路
６００    外部電源（電源）
７５０    停電時操作部
８００    内部電源
８２０    電気二重層コンデンサ（キャパシタ）
８４０    乾電池
８６０    内部レギュレータ
【図１】
2017057955.tif 000003
【図２】
2017057955.tif 000004
【図３】
2017057955.tif 000005
【図４】
2017057955.tif 000006
【図５】
2017057955.tif 000007